(57)【要約】  本発明は陽極、分離膜及び陰極が積層された構造の電極組立体をパウチケース内に収容するパウチ形二次電池であって、前記パウチケース内に位置し、前記パウチの内圧増加によってトリガーされる弾性部材によって前記電極組立体の前記パウチケース内の電極タブ又は電極リードを切断する電極タブ切断装置を含むパウチ形二次電池に関する。
2020505730.tif 000002
【特許請求の範囲】
【請求項１】
陽極、分離膜及び陰極が積層された構造の電極組立体がパウチケース内に収容されたパウチ形二次電池であって、
前記パウチケース内に位置し、前記パウチケースの内圧の増加でトリガーされる弾性部材によって前記電極組立体の前記パウチケース内の電極タブ又は電極リードを切断する電極タブ切断装置を含む、パウチ形二次電池。
【請求項２】
前記電極タブ切断装置は、
前記パウチケースと連結されたトリガーと、
前記電極組立体から突出した少なくとも一つの電極タブ又は電極リードを貫通するように配置された糸状の切断部材と、
前記切断部材と一側端で連結され、前記トリガーによって固定されている弾性部材と、
前記電極タブ又は電極リードと近接した一面には前記切断部材が移動することができる開口が形成され、他面には前記弾性部材が固定された状態で内蔵されている管状のケースとを含む、請求項１に記載のパウチ形二次電池。
【請求項３】
前記弾性部材は、初期の延びた状態で前記パウチケースの膨張によって前記トリガーが除去される場合、弾性力によって収縮する、請求項２に記載のパウチ形二次電池。
【請求項４】
前記弾性部材の収縮によって前記切断部材が前記パウチケースの内側に移動するにつれて前記切断部材によって電極タブ又は電極リードを切断する、請求項３に記載のパウチ形二次電池。
【請求項５】
前記弾性部材はスプリング又はゴムである、請求項１〜４の何れか一項に記載のパウチ形二次電池。
【請求項６】
前記電極タブ切断装置は、前記パウチケースの体積膨張によって収縮する圧力センサー部材をさらに含み、
前記圧力センサー部材が収縮する場合、前記トリガーが圧力センサー部材の内側方向に移動して前記弾性部材の固定を解除する、請求項２〜５の何れか一項に記載のパウチ形二次電池。
【請求項７】
前記電極タブ切断装置は、前記パウチケースの長軸方向の側面が前記電極タブの突出方向の電極組立体の側面と対面するように内蔵される、請求項１〜６の何れか一項に記載のパウチ形二次電池。
【請求項８】
前記パウチケースの他面は前記パウチケースのシーリング部によって固定される、請求項２〜７の何れか一項に記載のパウチ形二次電池。
【請求項９】
前記パウチケースに２個以上のトリガーが離隔した状態で位置する、請求項２〜８の何れか一項に記載のパウチ形二次電池。
【請求項１０】
前記電極タブ切断装置を２個以上含む、請求項１〜９の何れか一項に記載のパウチ形二次電池。
【請求項１１】
請求項１〜１０の何れか一項に記載のパウチ形二次電池を含む、電池パック。
【発明の詳細な説明】
【技術分野】
【０００１】
本出願は２０１７年８月１日付の韓国特許出願第２０１７−００９７６８５号に基づく優先権の利益を主張し、該当韓国特許出願の文献に開示された全ての内容はこの明細書の一部として含まれる。
【０００２】
本発明は電極タブ切断装置を含むパウチ形二次電池に係り、より詳しくはパウチケース内に位置し、パウチの内圧増加によってトリガーされる弾性部材によって電極ダブを切断する電極タブ装置を含むパウチ形二次電池に関する。
【背景技術】
【０００３】
モバイル機器に対する技術開発及び需要が増加するにつれて、そのエネルギー源としての二次電池の需要が急激に増加しており、よって多様な要求に応えることができる電池に対する多くの研究が行われている。
【０００４】
このようなリチウム二次電池は、電池ケースの形状によって、円筒形電池、角形電池及びパウチ形電池に分類されることもある。円筒形電池と角形電池は金属カンに電極組立体を装着した構造の電池であり、パウチ形電池は、例えばアルミニウムラミネートシートのパウチ形ケースに電極組立体を装着した構造の電池である。その中でも、高集積度で積層されることができ、重量当たりエネルギー密度が高いし、安価で変形が容易なパウチ形電池セルが多くの関心を集めている。
【０００５】
このような電池において主要な研究課題の一つは安全性を向上させることである。例えば、リチウム二次電池は、内部短絡、許容の電流及び電圧を超えた過充電状態、高温への露出、落下又は外部衝撃による変形など、電池の異常な作動状態によって引き起こされることができる電池内部の高温及び高圧によって電池の爆発がもたらされることができる。
【０００６】
したがって、リチウム二次電池の開発に必須に考慮しなければならない事項は安全性を確保することである。このような安全性を確保するための努力の一環として、例えば日本国特許公開第２０１１−２１０３９０号公報は、電池ケースに形成された電極端子と、前記端子と蓄電素子を連結するリードとの電気的接続を解除する接続解除手段と、前記接続解除手段を収容する中空部内の温度が所定温度以上であるとき、切断手段を前記リードに向けて加圧する加圧手段とを有する電池を開示している。
【０００７】
しかし、前記技術は電池ケースに形成された電極端子に接続解除手段を収容することができる中空部が形成されているため、従来の一般的な電極端子が形成された電池に適用することができないといった問題がある。
【０００８】
他の先行技術として、韓国特許公開第２０１３−００８９３２７号公報は、所定温度以上で第１フレーム部材及び第２フレーム部材が互いに反対方向に移動しながら電極タブを切断するために、熱収縮方向が互いに反対方向になるように第１熱収縮部材及び第２熱収縮部材が装着された支持部材を含む電池を開示している。
【０００９】
しかし、前記技術は電池ケースの外部に切断装置が付け加わる構造であるため、二次電池の全体的な大きさが増加することになる問題がある。
【００１０】
他の先行技術として、日本国特許公開第２０１３−１４５７１７号公報は、電極接続部を切断する切断手段が電池ケース内に配設された蓄電装置を開示しているが、前記切断手段は感熱変形部材からなるため、温度変化にのみ適用することができるだけ、パウチ形二次電池の体積膨張によって電極タブが破断される技術に適用しにくい問題がある。
【００１１】
したがって、パウチ形二次電池の内部でガスが生成されることによって二次電池が爆発することを防止することができ、従来の電池セルに適用することができるとともに全体的な二次電池の体積が増加せずに容量低下が発生しない技術に対する必要性が高い実情である。
【先行技術文献】
【特許文献】
【００１２】
【特許文献１】日本国特許公開第２０１１−２１０３９０号公報
【特許文献２】韓国特許公開第２０１３−００８９３２７号公報
【特許文献３】日本国特許公開第２０１３−１４５７１７号公報
【発明の概要】
【発明が解決しようとする課題】
【００１３】
本発明は前記のような従来技術の問題点と過去から要請されて来た技術的課題を解決するためのもので、パウチケース内に位置し、パウチの内圧の増加によってトリガーされる弾性部材が電極組立体の電極タブを切断する電極タブ切断装置を備える二次電池を提供することを目的とする。
【００１４】
また、前記弾性部材を作動させるトリガーがパウチケースと連結された構造になるから、パウチ形電池ケースのように電池ケースの内部で発生するガスによって外形が変形されるパウチ形二次電池に適用可能である。
【課題を解決するための手段】
【００１５】
このような目的を達成するための本発明によるパウチ形二次電池は、陽極、分離膜及び陰極が積層された構造の電極組立体がパウチケース内に収容されたパウチ形二次電池であって、前記パウチケース内に位置し、前記パウチの内圧の増加でトリガーされる弾性部材によって前記電極組立体の前記パウチケース内の電極タブ又は電極リードを切断する電極タブ切断装置を含む構造であってもよい。
【００１６】
本発明による電極タブ切断装置はパウチケースの内部で電極タブ及び電極リードの結合部が位置する死空間に位置するので、電極組立体の大きさを減らす必要がなく、電極タブ切断装置が収納されても全体的な二次電池の大きさに影響を及ぼさない。
【００１７】
また、パウチの内圧の増加によって弾性部材をトリガーさせる原理を用いるので、電池ケースのスウェリング現象の発生時に早くて正確に弾性部材を作動させて電極タブを切断することができる。
【００１８】
また、一般的な構造の電極組立体に適用することができ、電極タブ切断装置を適用することができる対象が制限されないので、適用のための追加工程又は追加部材が不要な利点がある。
【００１９】
一具体例で、前記電極タブ切断装置は、前記パウチケースと連結されたトリガーと、前記電極組立体から突出した少なくとも一つの電極タブ又は電極リードを貫通するように配置された糸状の切断部材と、前記切断部材と一側端で連結され、前記トリガーによって固定されている弾性部材と、前記電極タブ又は電極リードと近接した一面には前記切断部材が移動することができる開口が形成され、他面には前記弾性部材が固定された状態で内蔵されている管状のケースとを含む構造になることができる。
【００２０】
このように、前記弾性部材を作動させるトリガーがパウチケースと連結された構造になるので、膨張するパウチケースの形態の変形によってトリガーの位置が移動して弾性部材を作動させることができる。
【００２１】
また、前記弾性部材は、電極タブが貫通されるように位置する部材であって、例えば閉曲線形の構造の切断部材と連結されるので、弾性部材の弾性運動によって切断部材がケース内側に移動しながら電極タブ又は電極リードを切断することができる。
【００２２】
ただ、前記切断部材内に電極タブが位置する構造を考慮すると、前記切断部材は細い糸のような形態の切断力の高い素材を使わなければならず、早くて速かに電極タブを切断させるために、弾性がなくて絶縁性及び高引張強度を有する素材からなることができる。
【００２３】
切断部材によって切断される部位は必ずしも電極タブではなければならないものではなく、電極タブ又は電極リードの中で切断され易い部位であり、電極タブ切断装置の位置によって適切な部位が選択できる。
【００２４】
通常、電極タブは電極組立体から多数が突出して電極リードに連結される。ここで、多重の電極タブ又は電極リードの中で切断され易い部位が選択できる。
【００２５】
前記ケースは内部に弾性部材を内蔵し、前記弾性部材と連結された切断部材の移動通路として開口が形成されているので、前記弾性部材は、延びた初期状態で、前記パウチケースの膨張によって前記トリガーが除去される場合、弾性部材の弾性力によって収縮することができる。
【００２６】
具体的に、前記トリガーは、トリガーの長手方向が電極組立体の積層方向に平行な方向に位置し、膨張するパウチの変形によって上下方向に移動することができるので、初期には電極タブ切断装置のケース上に密着するように位置して延びた状態の弾性部材を固定するが、パウチが膨張すれば、上方に移動して弾性部材から離隔する。
【００２７】
したがって、前記弾性部材は弾性力によって元の状態に復元し、弾性部材の収縮によって切断部材が前記ケースの内側に移動するので、電極タブを貫通するように位置する切断部材が電極タブの突出方向に垂直な方向である電池ケースの内側方向に移動するようになる。この際、前記切断部材によって電極タブを切断することができる。
【００２８】
前記弾性部材は切断部材と連結された状態で延伸及び収縮が可能な素材であれば特に限定されないが、例えば前記弾性部材はスプリング又はゴムであってもよい。
【００２９】
一具体例で、前記電極タブ切断装置は、前記パウチケースの体積膨張によって収縮する圧力センサー部材をさらに含むことができる。前記圧力センサー部材が収縮する場合、前記トリガーが圧力センサー部材の内側方向に移動するようになり、これによって前記弾性部材の固定を解除することができる。
【００３０】
例えば、前記弾性部材を内蔵するケースは六面体又は円筒体の形状になることができる。前記ケースが六面体の場合には、ケースの長軸方向に平行な４面に少なくとも１個以上の圧力センサー部材が付着されることができ、前記ケースが円筒状の場合には、ケースの長軸方向に平行な側面に一定間隔で１個以上の圧力センサー部材が付着されることができる。
【００３１】
前記パウチケースの内圧が増加する場合、前記圧力センサー部材の内部は相対的な圧力が低い状態であるから収縮する。これにより、圧力センサー部材と連結されているトリガーは圧力センサー部材の内側方向に移動するようになる。このようなトリガーの移動によって弾性部材の固定が解除され、固定の解除された弾性部材は弾性力によって収縮しながら電極タブ又は電極リードを切断することができる。
【００３２】
したがって、前記圧力センサー部材の内部圧力は増加するパウチケースの圧力より低い圧力状態で維持されなければならなく、圧力センサー部材の外装材は収縮可能な素材からなることができる。
【００３３】
前記圧力センサー部材が収縮する圧力の範囲は、一般的にパウチケースのスウェリングによる爆発が発生する内圧限界が３気圧程度である点を考慮すると、２気圧以上乃至３気圧未満であり得る。
【００３４】
前記電極タブ切断装置は、前記ケースの長軸方向の側面が電極タブの突出した方向の電極組立体の側面と対面するように内蔵されることができる。具体的に、電極組立体の電極タブ−リード結合部の隣接部として、電極タブ−リード結合部の左側又は右側に位置することができる。もしくは、電極タブ−リード結合部の左側及び右側の両方に位置することができ、陽極タブと陰極タブが互いに反対方向に突出する場合には、陽極タブ及び陰極タブのそれぞれの一側又は両側に電極タブ切断装置が位置することができる。
【００３５】
このように、電極タブ−リード結合部の左側又は右側の部分は電池ケースの内部で死空間として見なされる部分であるから、本発明の電極タブ切断装置が収納されても追加的に空間確保が必要ではない利点がある。
【００３６】
前記電極タブ切断装置は電極組立体収納部において電池ケースのシーリング部に隣接して位置するようになり、前記弾性部材が弾性運動するときに電極タブ切断装置が固定される必要があるので、前記電極タブ切断装置を構成するケースにおいて電極端子に隣接する側面と反対方向に位置するケースの他面は前記パウチケースシーリング部によって固定される構造であってもよい。
【００３７】
一具体例で、前記弾性部材の弾性力は３０ｋｇｆ〜６０ｋｇｆであってもよく、好ましくは３５ｋｇｆ〜５５ｋｇｆであってもよい。
【００３８】
前記弾性部材の弾性力が３０ｋｆｇより小さい場合には電極タブを早くて正確に切断しにくく、６０ｋｇｆより大きい場合には不必要に弾性部材の大きさが大きくなることがあるから、トリガーによる固定が困難な場合があるので好ましくない。
【００３９】
前記トリガーの長さは前記ケースの垂直断面高さを基準に５０％〜１００％であってもよく、好ましくは７０％〜１００％であってもよい。
【００４０】
前記トリガーの長さがケースの垂直断面高さを基準に５０％より小さい場合には、二次電池の異常な作動ではない小さな外部衝撃によって電極タブ切断部材が作動して電極タブを切断することがあり、１００％より大きい場合にはケースが貫通されることがあるので好ましくない。
【００４１】
一具体例で、前記電極タブ切断部材が実質的に必要な環境でのみ作動する必要がある点を考慮すると、弾性部材をより安定的に固定するために２個以上のトリガーが位置する構造であってもよく、前記２個以上のトリガーは一定距離だけ離隔した状態で位置することができる。前記トリガーの離隔距離及び位置は特に限定されないが、電極タブが突出した電極組立体の側面方向を基準に電極タブが形成された位置及び電池ケースの膨張が中心部で最大である点を考慮してトリガーの離隔距離乃至位置と個数を設定することができる。
【００４２】
一方、電極タブ切断装置の誤作動によって電極タブが全く切断されなくて電流の流れが遮られない問題を防止するために、前記電極タブ切断装置は２個以上含まれることができる。
【００４３】
また、陽極タブと陰極タブが互いに反対方向に突出する場合には、陽極タブ及び陰極タブのそれぞれの一側又は両側に電極タブ切断装置が位置することができる。
【００４４】
また、本発明は、前記パウチ形二次電池を含む電池パックを提供することができる。
【００４５】
具体的に、前記電池パックは、高温安全性及び長いサイクル特性と高いレート特性などが要求されるデバイスの電源として使われることができる。このようなデバイスの具体的な例としては、モバイル電子機器（ｍｏｂｉｌｅ  ｄｅｖｉｃｅ）、ウェアラブル電子機器（ｗｅａｒａｂｌｅ  ｄｅｖｉｃｅ）、電池的モーターによって動力を受けて動作するパワーツール（ｐｏｗｅｒ  ｔｏｏｌ）；電気自動車（Ｅｌｅｃｔｒｉｃ  Ｖｅｈｉｃｌｅ、ＥＶ）、ハイブリッド電気自動車（Ｈｙｂｒｉｄ  Ｅｌｅｃｔｒｉｃ  Ｖｅｈｉｃｌｅ、ＨＥＶ）、プラグインハイブリッド電気自動車（Ｐｌｕｇ−ｉｎ  Ｈｙｂｒｉｄ  Ｅｌｅｃｔｒｉｃ  Ｖｅｈｉｃｌｅ、ＰＨＥＶ）などを含む電気車；電気自転車（Ｅ−ｂｉｋｅ）、電気スクーター（Ｅ−ｓｃｏｏｔｅｒ）を含む電気二輪車；電気ゴルフカート（ｅｌｅｃｔｒｉｃ  ｇｏｌｆ  ｃａｒｔ）；電力記憶装置（Ｅｎｅｒｇｙ  Ｓｔｏｒａｇｅ  Ｓｙｓｔｅｍ）などを挙げることができるが、これに限定されるものではない。
【００４６】
これらのデバイスの構造及びその製作方法は当該分野に公知となっているので、本明細書ではそれについての詳細な説明は省略する。
【図面の簡単な説明】
【００４７】
【図１】一実施例による電極タブ切断装置を含むパウチ形二次電池の平面図である。
【図２】図１の電極タブ切断装置の正面図である。
【図３】図２の電極タブ切断装置が電極タブに適用された状態を示す斜視図である。
【図４】図３の電極タブ切断装置によって電極タブを切断した状態を示す斜視図である。
【図５】パウチ形ケースの膨張によって電極タブ切断装置が作動する過程を示す正面図である。
【図６】他の一実施例による電極タブ切断装置が作動する過程を示す正面図である。
【図７】他の一実施例による電極タブ切断装置を含むパウチ形二次電池の平面図である。
【発明を実施するための形態】
【００４８】
以下、添付図面に基づいて本発明が属する技術分野で通常の知識を有する者が本発明を易しく実施することができる実施例を詳細に説明する。ただ、本発明の好適な実施例に対する動作原理を詳細に説明するに当たり、関連の公知機能又は構成についての具体的な説明が本発明の要旨を不必要にあいまいにすることができると判断される場合にはその詳細な説明を省略する。
【００４９】
また、図面全般にかけて類似の機能及び作用をする部分に対しては同じ図面符号を付ける。明細書全般で、ある部分が他の部分と連結されていると言うとき、これは直接的に連結されている場合だけではなく、その中間に他の素子を挟んで間接的に連結されている場合も含む。また、ある構成要素を含むとは、特に反対の記載がない限り、他の構成要素を除くものではなく、他の構成要素をさらに含むことができることを意味する。
【００５０】
本発明を図面に基づいて詳細な実施例とともに説明する。
【００５１】
図１は一実施例による電極タブ切断装置を含むパウチ形二次電池の平面図であり、図２は図１の電極タブ切断装置の正面図を拡大して示している。
【００５２】
図１及び図２を参照すると、外周部１０３がシーリングされるパウチ形二次電池１００は、上部ケース（図示せず）及び下部ケース１０８からなり、中心部には電極組立体１０１を収納することができるように凹形構造の電極組立体収納部１０７が形成されている。電極組立体１０１は、陽極タブ１０５ａ及び陰極タブ１０５ｂが同じ方向に突出した構造になっており、陽極タブ１０５ａと連結された陽極リード１０２ａ及び陰極タブ１０５ｂと連結された陰極リード１０２ｂが電池ケースの外側に延びている。
【００５３】
このような陽極及び陰極電極タブ及び電極リードは互いに同じ方向又は違う方向に変更可能である。
【００５４】
電極タブ１０５ａ、１０５ｂが突出した方向において電極タブと電極リードが連結される部分では前記電極タブ及び電極リードが折曲されているから、電極組立体の側面及びこれと対面する下部ケース１０８の側面は互いに離隔するように位置する。
【００５５】
前記離隔部位において電極タブ及び電極リードが位置しない部分には電極タブ切断装置１１０が位置している。
【００５６】
電極タブ切断装置１１０は、パウチケースと連結されたトリガー１１１、電極タブ１０５ａ、１０５ｂが貫通されるように位置する糸状の切断部材１１２、切断部材１１２の一側端と連結され、トリガー１１１によって固定されている弾性部材１１３、及び 陽極タブ１０５aに近接した一面には切断部材１１２が移動することができる開口（図示せず）が形成され、他面には弾性部材１１３が固定された状態で内蔵されているケース１１４を含んでいる。
【００５７】
弾性部材１１３の一側端は延びた状態でケース１１４の一側面に連結されており、他側端は切断部材１１２に連結されている。ケース１１４の上面には電池ケース１３０と連結されたトリガー１１１が位置する。トリガー１１１はケース１１４を貫通するように位置し、延びた状態の弾性部材１１３を固定している。トリガーの長さｈ２はケース１１４の垂直断面高さｈ１を基準に５０％〜１００％になっている。
【００５８】
ケース１１４の長軸方向ｗの側面が陽極タブ１０５aが突出した方向の電極組立体１０１の側面と対面するように内蔵される。切断部材１１２の移動通路になる開口が形成された面１１８ａの対向面１１８ｂの方向のケース１１４の一部１１４’は電池ケースの外周部１０３のシーリング部上に位置し、電池ケースの密封時に熱融着して固定される。
【００５９】
図３及び図４は図２の電極タブ切断装置１１０を用いて 電極タブ１０２を切断する前と後の状態を示す斜視図を模式的に示している。
【００６０】
図３及び図４を参照すると、切断部材１１２は弾性部材１１３と連結された状態で電極タブ１０２が貫通されるように位置しており、弾性部材１１３は延びた状態でトリガー１１１によって固定されている。
【００６１】
電池ケース１３０の膨張によってトリガー１１１が上方に移動する場合、延びた状態で固定された弾性部材１１３が電極タブの反対方向に収縮するにつれて弾性部材１１３と連結されている切断部材１１２が弾性部材１１３の収縮方向に移動するようになる。この際、電極タブ１０２が切断されるので、電流の移動が遮断され、電池の誤作動による爆発又は発火を事前に防止することができる。この明細書全般にわたって切断部材１１２によって切断される部位は必ずしも陽極タブ１０５ａではなければならないものではなく、陽極タブ１０５ａ、陰極タブ１０５ｂ又は電極リード１０２ａ、１０２ｂの中で切断され易い部位であってもよく、電極タブ切断装置１１０の位置によって適切な部位が選択できる。
【００６２】
通常に電極タブ１０５ａ、１０５ｂは電極組立体１０１から多数が突出して電極リードに連結される。ここで、多重の電極タブ１０５ａ、１０５ｂ又は電極リード１０２ａ、１０２ｂの中で切断され易い部位が選択できる。
【００６３】
図５はパウチ形電池ケース１３０と連結されたトリガーを含む電極タブ切断装置が作動する過程を示す正面図を模式的に示している。
【００６４】
図５を参照すると、電極タブ切断装置１１０のケース１１４の上面に近接するように電池ケース１３０が位置し、トリガー１１１は電池ケース１３０と連結されるように位置している。
【００６５】
電池セルの異常な作動によって電池ケース１３０が膨張する場合には、トリガー１１１も電池ケース１３０の膨張方向にともに移動して弾性部材１１３の固定が解除されるので、弾性部材１１３が収縮する力によって切断部材１１２も同じ方向に移動して電極タブを切断する。
【００６６】
図６は他の一実施例による電極タブ切断装置が作動する過程を示す正面図を模式的に示している。
【００６７】
図６を参照すると、電極タブ切断装置３１０は、電極タブ切断装置１１０と比較すると、パウチケースの体積膨張によって収縮する圧力センサー部材３１５をさらに含む。
【００６８】
すなわち、電極タブ切断装置３１０は、延びた状態の弾性部材３１３を固定するトリガー３１１が圧力センサー部材３１５と連結され、圧力センサー部材３１５はケース３１４の外面に位置している。図６には１個の圧力センサー部材のみを開示しているが、圧力センサー部材は２個以上がケースの外面に位置することができ、パウチケースの内圧が増加する場合、相対的に低い圧力の圧力センサー部材３１５が収縮し、トリガー３１１は圧力センサー部材３１５の内側に移動する。よって、トリガー３１１によって延びた状態で固定されていた弾性部材３１３は固定が解除され、弾性力によって復元し、これによって切断部材３１２も弾性部材の移動によって移動しながら電極タブ又は電極リードを切断する。
【００６９】
電極タブ切断装置１１０のケース１１４と電極タブ切断装置３１０のケース３１４は直方体又は円筒体の形状であってもよく、圧力センサー部材３１５は長軸方向の側面に２個以上位置してもよい。
【００７０】
図７は他の一実施例によるパウチ形二次電池の平面図を模式的に示している。
【００７１】
図７を参照すると、他の一実施例によるパウチ形二次電池２００の電極タブ切断装置２１０は、陽極タブ２０５ａ及び陽極リード２０２ａの結合部の左側に位置し、電極タブ切断装置２２０は陰極タブ２０５ｂ及び陰極リード２０２ｂの結合部の右側に位置し、電極タブ切断装置２１０の左側端２１４’と電極タブ切断装置２２０の右側端２２４’は電池ケースの外周部２０３のシーリング部と重畳するように位置している。
【００７２】
その他に、電極タブ切断装置２１０、２２０の詳細的な構造は電極タブ切断装置１１０の説明と類似しているので、具体的な説明を省略する。このように、本発明のパウチ形二次電池は電池ケースの収納部の内側に電極タブ切断装置を収容しているので、二次電池の体積増加なしに死空間を活用することができる利点があり、電池ケースの体積膨張時に早くて速かに電極タブを切断して、二次電池の過熱による爆発などを防止することができるので、安全性が向上した二次電池を提供することができる。
【００７３】
本発明が属する分野で通常の知識を有する者であれば、前記内容に基づいて本発明の範疇内で多様な応用及び変形が可能であろう。
【産業上の利用可能性】
【００７４】
本発明によるパウチ形二次電池は、電池セルの内圧増加によってトリガーされる弾性部材によって電極組立体の電極タブを切断する電極タブ切断装置がパウチケース内に位置するので、パウチ形二次電池の全体的な大きさに影響を及ぼさないながらも電池ケースの体積膨張時に迅速で正確に電極タブを切断することができる。
【００７５】
また、前記弾性部材を作動させるトリガーが電池ケースと連結された構造になるので、電池ケースがスウェリングし易いパウチ形電池ケースに適用して、二次電池の爆発を事前に防止することができる。
【符号の説明】
【００７６】
１００    パウチ形二次電池
１０１    電極組立体
１０２    電極タブ
１０２ａ、２０２ａ    陽極リード
１０２ｂ、２０２ｂ    陰極リード
１０３、２０３    外周部
１０５ａ、２０５ａ    陽極タブ
１０５ｂ、２０５ｂ    陰極タブ
１０７    収納部
１０８    下部ケース
１１０、２１０、２２０    電極タブ切断装置
１１１、３１１    トリガー
１１２、３１２    切断部材
１１３、３１３    弾性部材
１１４、３１４    ケース
１１８ａ    開口が形成された面
１１８ｂ    開口が形成された面の対向面
１３０    電池ケース
２００    パウチ形二次電池
３１５    圧力センサー部材
ｈ１    ケースの垂直断面高さ
ｈ２    トリガーの長さ
ｗ    ケースの長軸方向
【図１】
2020505730.tif 000003
【図２】
2020505730.tif 000004
【図３】
2020505730.tif 000005
【図４】
2020505730.tif 000006
【図５】
2020505730.tif 000007
【図６】
2020505730.tif 000008
【図７】
2020505730.tif 000009
【国際調査報告】
2020505730.tif 000010
2020505730.tif 000011
2020505730.tif 000012
2020505730.tif 000013